(57)【特許請求の範囲】
【請求項１】
スイッチング素子によりトランスの一次巻線に電圧を印加／遮断するとともに、該トランスの一次巻線と二次巻線とで電流の流れを交互にオン・オフさせて、前記二次巻線側へ電圧出力を行うスイッチング電源装置において、
前記トランスの帰還巻線に生じる交流電圧により前記スイッチング素子をオン・オフさせる発振電圧を生成する自励発振回路部と、
前記トランスに設けられた第１制御巻線と、
前記第１制御巻線に生じる電圧と設定電圧とを比較して前記スイッチング素子のオン期間を変化させる制御用回路部と、
前記トランスに設けられた第２制御巻線と、
前記第２制御巻線に生じる電圧の大きさに応じて前記設定電圧の大きさを補正する設定電圧補正回路と、
を備え、
前記制御用回路部は、
前記第１制御巻線に生じる電圧を平滑して蓄積する第１平滑コンデンサと、
設定電圧を超えたときに電流を流す定電圧回路とを備え、
前記第１平滑コンデンサの電圧が前記設定電圧を上回った場合に前記定電圧回路に電流が流れて前記スイッチング素子の制御端子にターンオフさせる電圧が出力されるように構成されており、
前記定電圧回路は、
所定電圧を分割する分割抵抗と、
該分割抵抗の分割点に接続されたツェナーダイオードと、
から構成され、
前記設定電圧補正回路は、
前記第２制御巻線に生じる電圧を平滑して蓄積する第２平滑コンデンサと、
前記第２平滑コンデンサの電圧の大きさに応じて前記分割抵抗の分割点に電流を流すトランジスタと、
から構成されることを特徴とするスイッチング電源装置。
【請求項２】
スイッチング素子によりトランスの一次巻線に電圧を印加／遮断するとともに、該トランスの一次巻線と二次巻線とで電流の流れを交互にオン・オフさせて、前記二次巻線側へ電圧出力を行うスイッチング電源装置において、
前記トランスの帰還巻線に生じる交流電圧により前記スイッチング素子をオン・オフさせる発振電圧を生成する自励発振回路部と、
前記トランスに設けられた第１制御巻線と、
前記第１制御巻線に生じる電圧と設定電圧とを比較して前記スイッチング素子のオン期間を変化させる制御用回路部と、
前記トランスに設けられた第２制御巻線と、
前記第２制御巻線に生じる電圧の大きさに応じて前記設定電圧の大きさを補正する設定電圧補正回路と、
を備え、
前記制御用回路部は、
前記第１制御巻線に生じる電圧を平滑して蓄積する第１平滑コンデンサと、
設定電圧を超えたときに電流を流す定電圧回路とを備え、
前記第１平滑コンデンサの電圧が前記設定電圧を上回った場合に前記定電圧回路に電流が流れて前記スイッチング素子の制御端子にターンオフさせる電圧が出力されるように構成されており、
前記定電圧回路は、
参照電圧に応じた定電圧を生成するシャントレギュレータと、
所定電圧を分割して前記シャントレギュレータの参照電圧を生成する分割抵抗と、
から構成され、
前記設定電圧補正回路は、
前記第２制御巻線に生じる電圧を平滑して蓄積する第２平滑コンデンサと、
前記第２平滑コンデンサの電圧の大きさに応じて前記分割抵抗の分割点に電流を流すトランジスタと、
から構成されることを特徴とするスイッチング電源装置。
【請求項３】
前記分割抵抗は前記第１平滑コンデンサの両端電圧を抵抗分割する構成であることを特徴とする請求項１又は２に記載のスイッチング電源装置。
【請求項４】
前記帰還巻線と前記第１制御巻線とが１つの巻線により共通化されていることを特徴とする請求項１〜３の何れか１項に記載のスイッチング電源装置。
【発明の詳細な説明】
【技術分野】
【０００１】
この発明は、出力電圧をトランスの制御巻線の電圧で制御するスイッチング電源装置に関する。
【背景技術】
【０００２】
従来、一次側と二次側とで極性の異なるトランスを用いて、スイッチング素子によりトランスの一次側に電圧を印加／遮断することで、トランスの二次側へ電圧を出力するリンギングチョークコンバータなどのスイッチング電源装置がある。
【０００３】
このようなスイッチング電源装置においては、出力電圧を安定化させるために、フォトカプラなどを介して出力電圧を検出し、この検出に基づいてスイッチング素子のオン期間を増減するように構成されるのが通常である。しかしながら、フォトカプラを用いたものでは、出力電圧を直接的に検出するので、比較的安定した出力電圧の制御を行える一方、コストの高騰や回路面積が増大するといった課題があった。
【０００４】
一方、出力電圧を安定化させるために、トランスに制御巻線を設け、この制御巻線の電圧に基づいてスイッチング素子のオン期間を増減させることで、フォトカプラなどを省略してコストの低減や小型化を図った電源装置も提案されている（例えば特許文献１〜３）。このような電源回路では、基本的に、ツェナーダイオードやシャントレギュレータ等の定電圧回路を利用し、制御巻線の電圧が大きくなった場合に定電圧回路に電流が流れてスイッチング素子がターンオフするタイミングを早めるような制御が行われ、これにより出力電圧の安定化が図られている。
【特許文献１】特開２００１−２５１８５５号公報
【特許文献２】特開２００４−３２０８５６号公報
【特許文献３】特開平５−３０４７７８号公報
【発明の開示】
【発明が解決しようとする課題】
【０００５】
トランスに制御巻線を設けて出力電圧の安定化を図るスイッチング電源装置として、例えば、図４のような回路が挙げられる。このスイッチング電源装置８０では、例えば、制御巻線Ｎ３に発生する交流電圧をコンデンサＣｒを介してスイッチングトランジスタＴｒ１のベース端子に供給するように構成されている。そして、これによりスイッチングトランジスタＴｒ１がオン・オフして、一次巻線Ｎ１に電圧が印加／遮断されて二次巻線Ｎ２側に電力が伝達される。また、二次巻線Ｎ２に出力される電圧と比例する電圧が制御巻線Ｎ３にも発生され、この電圧が整流ダイオードＤ３により整流されて平滑コンデンサＣ３に蓄えられる。そして、この平滑コンデンサＣ３の電圧が大きくなってツェナーダイオードＺ８１のツェナー電圧を超えた場合に、このツェナーダイオードＺ８１がオンして、スイッチングトランジスタＴｒ１のベース端子の電圧を低下させ、これによりスイッチングトランジスタＴｒ１がターンオフするタイミングを早めて、出力電圧を安定させる。
【０００６】
しかしながら、制御巻線の電圧に基づいて出力電圧を制御する上述の電源装置では、出力電流が大きくなるに従って、出力電圧が比較的大きく低下してしまうという課題があった。この出力電圧の低下は、例えば、トランスの二次巻線（Ｎ２）に直列接続された整流ダイオード（Ｄ２）の電圧降下分により出力電圧Ｖｏｕｔより二次巻線（Ｎ２）の電圧が高くなることや、二次巻線（Ｎ２）の電流が大きくなることでトランスの二次巻線（Ｎ２）と制御巻線（Ｎ３）の結合度が低くなって、二次巻線（Ｎ２）の電圧よりも制御巻線（Ｎ３）の電圧が高くなることが理由として挙げられる。
【０００７】
この発明の目的は、制御巻線の電圧に基づいて出力電圧を制御するスイッチング電源装置において、出力電流の増大に伴う出力電圧の低下を緩和することのできるスイッチング電源装置を提供することにある。
【課題を解決するための手段】
【０００８】
本発明は、上記目的を達成するため、スイッチング素子（Ｔｒ１）によりトランス（２）の一次巻線（Ｎ１）に電圧を印加／遮断するとともに、該トランスの一次巻線（Ｎ１）と二次巻線（Ｎ２）とで電流の流れを交互にオン・オフさせて、前記二次巻線（Ｎ２）側へ電圧出力を行うスイッチング電源装置（１）において、前記トランスの帰還巻線（Ｎ３）に生じる交流電圧により前記スイッチング素子をオン・オフさせる発振電圧を生成する自励発振回路部（Ｃｒ，Ｒｒ）と、前記トランスに設けられた第１制御巻線（Ｎ３）と、前記第１制御巻線に生じる電圧と設定電圧とを比較して前記スイッチング素子のオン期間を変化させる制御用回路部（５）と、前記トランスに設けられた第２制御巻線（Ｎ４）と、前記第２制御巻線に生じる電圧の大きさに応じて前記設定電圧の大きさを補正する設定電圧補正回路（６）とを備えた構成とした。
【０００９】
このような手段によれば、出力電流が増加して出力電圧が低下してきたときに、上記の設定電圧補正回路により設定電圧の大きさを補正して、出力電圧の低下量を緩和させることが出来る。また、出力電流自体を検出するのではなく、出力電流の増加に伴う制御巻線の発生電圧の変化量を検出して補正処理を行うため、単純な回路構成により上記のような補正処理を実現することが出来る。
【００１０】
具体的には、前記制御用回路部（５）は、前記第１制御巻線に生じる電圧を平滑して蓄積する第１平滑コンデンサ（Ｃ３）と、設定電圧を超えたときに電流を流す定電圧回路（Ｚ１，Ｒ１，Ｒ２）とを備え、前記第１平滑コンデンサの電圧が前記設定電圧を上回った場合に前記定電圧回路に電流が流れて前記スイッチング素子（Ｔｒ１）の制御端子にターンオフさせる電圧が出力されるように構成できる。
【００１１】
また具体的には、前記定電圧回路は、所定電圧を分割する分割抵抗（Ｒ１，Ｒ２）と、該分割抵抗の分割点（Ａ）に接続されたツェナーダイオード（Ｚ１）とから構成され、前記設定電圧補正回路（６）は、前記第２制御巻線（Ｎ４）に生じる電圧を平滑して蓄積する第２平滑コンデンサ（Ｃ４）と、前記第２平滑コンデンサの電圧の大きさに応じて前記分割抵抗の分割点に電流を流すトランジスタ（Ｔｒ３）とから構成することができる。
【００１２】
このような構成により、出力電流の増加に伴う出力電圧の低下を適宜緩和することが出来るとともに、前記分割抵抗の大きさや、分割点に電流を流す前記トランジスタのコレクタ抵抗やエミッタ抵抗等の大きさを適宜調整することで、設定電圧の補正量も容易に調整することができる。
【００１３】
また具体的には、前記定電圧回路は、参照電圧に応じた定電圧を生成するシャントレギュレータ（Ｚ６：図３）と、所定電圧を分割して前記シャントレギュレータの参照電圧を生成する分割抵抗（Ｒ７，Ｒ８）とから構成され、前記設定電圧補正回路（６ｂ）は、前記第２制御巻線に生じる電圧を平滑して蓄積する第２平滑コンデンサ（Ｃ４）と、前記第２平滑コンデンサの電圧の大きさに応じて前記分割抵抗の分割点（Ｃ）に電流を流すトランジスタ（Ｔｒ３）とから構成することができる。
【００１４】
このような構成であっても、出力電流の増加に伴う出力電圧の低下を適宜緩和することが出来るとともに、分割抵抗の大きさや、分割点に電流を流す前記トランジスタのコレクタ抵抗やエミッタ抵抗等の大きさを適宜調整することで、設定電圧の補正量も容易に調整することが出来る。
【００１５】
具体的には、前記分割抵抗（Ｒ１，Ｒ２又はＲ７，Ｒ８）は前記第１平滑コンデンサ（Ｃ３）の両端電圧を抵抗分割する構成とすることが出来る。
【００１６】
また、具体的には、前記帰還巻線と前記第１制御巻線とが１つの巻線（Ｎ３）により共通化されている構成とすることができる。
【００１７】
このような構成により、全体として低コストにスイッチング電源装置を製造することが出来る。
【００１８】
なお、この項目において、実施形態との対応関係を表わす符号を括弧書きで記したが、本発明はこれに制限されるものではない。
【発明の効果】
【００１９】
本発明に従うと、スイッチング素子によりトランスの一次巻線に電圧を印加／遮断して二次巻線側へ電圧出力を行うスイッチング電源装置において、フォトカプラなどを用いずに低コストに且つ回路面積を増大させることなく電源装置を構成できるとともに、出力電流の増加に伴う出力電圧の低下量を適宜緩和することが出来るという効果がある。
【発明を実施するための最良の形態】
【００２０】
以下、本発明の実施の形態を図面に基づいて説明する。
【００２１】
図１は、本発明の実施形態のスイッチング電源装置の構成を示す回路図である。
【００２２】
この実施の形態のスイッチング電源装置１は、例えば交流の入力電圧Ｖｉｎから直流の出力電圧Ｖｏｕｔを生成する回路であり、スイッチング制御用の集積回路を使用せずに、回路基盤にディスクリート部品を配設して構成されるものである。このスイッチング電源装置１は、交流の入力電圧Ｖｉｎを整流するダイオードブリッジＤ１と、整流された電圧の平滑やノイズの除去を行うフィルタ回路４（コンデンサＣ１１，Ｃ１２、チョークコイルＬ１）と、一次巻線Ｎ１と二次巻線Ｎ２とで極性が逆にされたトランス２と、トランス２に副次的に設けられた第１制御巻線Ｎ３および第２制御巻線Ｎ４と、一次巻線Ｎ１と直列に接続されたスイッチングトランジスタ（スイッチング素子）Ｔｒ１と、第１制御巻線Ｎ３に発生する交流電圧により充放電して自励発振を行うコンデンサＣｒおよび抵抗Ｒｒと、スイッチングトランジスタＴｒ１のベース端子が接続される結節点Ｂに微少電流を供給する抵抗Ｒ１１，Ｒ１２と、二次巻線Ｎ２に直列接続されて二次側の電流をオン・オフする整流ダイオードＤ２と、出力端子間に接続される保護用の抵抗Ｒ２１、ツェナーダイオードＺ２１および平滑コンデンサＣ２等を備えている。
【００２３】
また、このスイッチング電源装置１には、第１制御巻線Ｎ３と直列接続された整流ダイオードＤ３と、第１制御巻線Ｎ３の電圧を平滑して蓄える平滑コンデンサＣ３と、第２制御巻線Ｎ４と直列接続された整流ダイオードＤ４と、第２制御巻線Ｎ４の電圧を平滑して蓄える平滑コンデンサＣ４と、平滑コンデンサＣ３の電圧が高くなった場合にスイッチンクトランジスタＴｒ１のベース端子の電圧を降下させる制御用回路５と、平滑コンデンサＣ４の電圧が上昇したときに分割抵抗Ｒ１，Ｒ２の分割ノードＡに電流を流してノードＡの電圧を引き上げる設定電圧補正回路６と、出力電流が過大になった場合に自励発振の電圧の出力を停止させる過電流保護回路３等が設けられている。
【００２４】
コンデンサＣｒは、その一端側が結節点Ｂに接続され、第１制御巻線Ｎ３に発生する交流電圧を充放電して自励発振の電圧を生成するとともに、この発振電圧を結節点Ｂに供給するようになっている。これにより、スイッチングトランジスタＴｒ１のベース端子に発振電圧が印加されてスイッチングトランジスタＴｒ１がオン・オフし、一次巻線Ｎ１に電圧が印加／遮断されるようになっている。
【００２５】
制御用回路５は、設定電圧を超えたときに電流を流す定電圧回路（分割抵抗Ｒ１，Ｒ２およびツェナーダイオードＺ１）と、定電圧回路に電流が流れることでオンしてスイッチングトランジスタＴｒ１のベース端子から電流を引き抜くトランジスタＴｒ２と、から構成される。
【００２６】
上記定電圧回路は、平滑コンデンサＣ３の両端電圧を分割抵抗Ｒ１，Ｒ２で分割し、この分割ノードＡにツェナーダイオードＺ１のアノードが接続された構成である。そして、平滑コンデンサＣ３のカソードの電位を基準として、抵抗Ｒ２の電圧降下分とツェナーダイオードＺ１のツェナー電圧とを加算した電圧を設定電圧として、ツェナーダイオードＺ１のカソードの電圧がこの設定電圧を超えた場合に電流を流すようになっている。
【００２７】
このような構成により、平滑コンデンサＣ３の両端電圧が上記の設定電圧を超えると、トランジスタＴｒ２のベース電流が流れて、これによりトランジスタＴｒ２がオンし、スイッチングトランジスタＴｒ１のベース端子が接続された結節点Ｂの電圧を降下させる。そして、これによりスイッチングトランジスタＴｒ１がオフして、出力電圧が安定化されるようになっている。
【００２８】
設定電圧補正回路６は、平滑コンデンサＣ４の電圧に基づいて、上記の分割抵抗Ｒ１，Ｒ２の分割ノードＡの電圧を変動させる回路である。具体的には、この設定電圧補正回路６は、平滑コンデンサＣ４，Ｃ３の合算電圧を分割する分割抵抗Ｒ４，Ｒ５と、この分割抵抗Ｒ４，Ｒ５の分割電圧をベースに受けて上記分割ノードＡに電流を流すトランジスタＴｒ３等から構成される。トランジスタＴｒ３には、ベース抵抗Ｒ６とコレクタ抵抗Ｒ３が接続され、コレクタ端子は抵抗Ｒ３を介して分割抵抗Ｒ１の一端側に接続されている。
【００２９】
このような構成により、平滑コンデンサＣ４の電圧が上昇すると、その電圧値に応じてトランジスタＴｒ３に電流が流れて、分割ノードＡの電圧を上昇させる。そして、この電圧変動により、上記定電圧回路の設定電圧の大きさが補正されて、ツェナーダイオードＺ１に電流が流れる設定電圧が押し上げられるようになっている。
【００３０】
次に、スイッチング電源装置１の全体的な動作について説明する。
【００３１】
入力電源Ｖｉｎが入力されて、起動抵抗Ｒ１１，Ｒ１２に電流が流れると、ベース電流が供給されてスイッチングトランジスタＴｒ１がターンオンし、一次巻線Ｎ１に電圧が印加される。それにより、一次巻線Ｎ１の電流が増加していくが、スイッチングトランジスタＴｒ１のコレクタ電流が飽和すると一次巻線Ｎ１の電流増加が停止されて、二次巻線Ｎ２や第１制御巻線Ｎ３の電圧が逆転する。そして、このときの第１制御巻線Ｎ３の電圧がコンデンサＣｒを介してスイッチングトランジスタＴｒ１のベース端子に出力されて、スイッチングトランジスタＴｒ１をターンオフさせる。このようにして、スイッチングトランジスタＴｒ１が自励発振によりオン・オフして一次巻線Ｎ１に電圧が印加／遮断される。
【００３２】
一次巻線Ｎ１に電圧が印加されて一次巻線Ｎ１に電流が流れると、トランス２のコアに磁気エネルギーが蓄積され、次にスイッチングトランジスタＴｒ１がオフしたときに、この磁気エネルギーが二次巻線Ｎ２に伝達されて、二次側に電流が流れて平滑コンデンサＣ２により平滑された出力電圧Ｖｏｕｔが生成される。
【００３３】
また、このとき二次巻線Ｎ２の電圧と比例した電圧が第１制御巻線Ｎ３と第２制御巻線Ｎ４に出力され、この電圧が整流ダイオードＤ３，Ｄ４で整流されて平滑コンデンサＣ３，Ｃ４に蓄積される。そして、平滑コンデンサＣ３の電圧が大きくなって、分割抵抗Ｒ２の電圧とツェナー電圧との加算電圧を超えると、ツェナーダイオードＺ１がオンして、結節点Ｂから制御用回路５のトランジスタＴｒ２に電流が引き抜かれ、スイッチングトランジスタＴｒ１のオフタイミングを早める。それにより、一次巻線Ｎ１に流れる電流が抑えられて出力電圧Ｖｏｕｔが安定化する。
【００３４】
一方、出力電流が大きくなって出力電圧が低下してくると、第２制御巻線Ｎ４に発生する電圧が上昇する。そして、この電圧上昇により設定電圧補正回路６のトランジスタＴｒ３のベース電圧が上昇し、トランジスタＴｒ３を介して抵抗Ｒ２に流れる電流を増加させる。それにより、ツェナーダイオードＺ１が接続された分割ノードＡの電圧が上昇し、トランジスタＴｒ２をオンさせにくくする。それにより、スイッチングトランジスタＴｒ１のオン期間が長くなって出力電圧Ｖｏｕｔの低下が緩和される。
【００３５】
図２には、スイッチング電源装置１による特性の改善を表したＶ−Ｉ特性図を示す。同図中、「改善後」の特性線が図１のスイッチング電源装置１のもの、「改善前」の特性線が図４のスイッチング電源装置８０のものである。
【００３６】
図２に示すように、この実施形態のスイッチング電源装置１によれば、設定電圧補正回路６の作用により、出力電流が大きくなったときに出力電圧を上昇するように定電圧回路の設定電圧が変更され、それにより出力電圧の低下量が緩和された特性を得ることが出来る。
【００３７】
以上のように、この実施形態のスイッチング電源装置１によれば、出力電流の増加に伴って出力電圧Ｖｏｕｔが低下してきたときに、設定電圧補正回路６によりツェナーダイオードＺ１の基準電位点Ａの電位を上昇させ、出力電圧の低下量を緩和させることが出来る。また、出力電流自体を検出するのではなく、出力電流の増加に伴う制御巻線Ｎ４の電圧変化を検出して補正処理を行うため、単純な回路構成により上記のような補正処理を実現することが出来る。
【００３８】
また、設定電圧補正回路６は、トランジスタＴｒ３により分割抵抗Ｒ２に流れる電流を増減させる構成なので、分割抵抗Ｒ１，Ｒ２の大きさや、トランジスタＴｒ３のコレクタ抵抗Ｒ３やベース抵抗Ｒ６等の大きさを適宜調整することで、設定電圧の補正量も容易に調整することが出来る。また、第２制御巻線Ｎ４の巻線数により補正量を調整することも出来る。
【００３９】
また、この実施形態のスイッチング電源装置１によれば、フォトカプラや制御ＩＣなどを用いることなく、ディスクリート部品のみで構成されるため、全体として低コストにスイッチング電源装置を製造することが出来る。
【００４０】
［変形例］
図３は、本発明の実施形態のスイッチング電源装置の変形例を示す回路図である。
【００４１】
上述した図１のスイッチング電源装置１では、制御用回路５の定電圧回路としてツェナーダイオードＺ１を適用し、このツェナーダイオードＺ１に電流か流れる設定電圧を変更するために、ツェナーダイオードＺ１が接続される基準点Ａの電圧を昇降する構成を示した。一方、この変形例のスイッチング電源装置１Ｂでは、制御用回路５ｂの定電圧回路としてシャントレギュレータＺ６を適用し、シャントレギュレータＺ６に電流が流れる設定電圧を変更するために、シャントレギュレータＺ６の参照電圧を昇降する構成を適用したものである。その他の構成は図１のものと同様であるため説明は省略する。
【００４２】
すなわち、このスイッチング電源装置１では、出力電圧Ｖｏｕｔを安定化させる制御用回路５ｂとして、平滑コンデンサＣ３の両端電圧を分割して参照電圧を生成する分割抵抗Ｒ７，Ｒ８と、参照電圧に応じた設定電圧を超えた場合に電流を流すシャントレギュレータＺ６と、シャントレギュレータＺ６に電流が流れたときにスイッチングトランジスタＴｒ１のベース端子から電流を引き抜くトランジスタＴｒ２等を備えている。シャントレギュレータＺ６は、アノード端子が平滑コンデンサＣ３のカソードの電位点に、カソード端子がトランジスタＴｒ２のベース端子に接続されている。
【００４３】
このような構成により、平滑コンデンサＣ３の両端電圧がシャントレギュレータＺ６の設定電圧を超えた場合に、トランジスタＴｒ２のベース電流が流れ、これによりトランジスタＴｒ２がオンして、スイッチングトランジスタＴｒ１のベース端子が接続された結節点Ｂの電圧を降下させる。そして、これらによりスイッチングトランジスタＴｒ１がオフして、出力電圧が安定化されるようになっている。
【００４４】
また、シャントレギュレータＺ６の参照電圧を昇降する設定電圧補正回路６ｂは、平滑コンデンサＣ４，Ｃ３の合算電圧を分割する分割抵抗Ｒ４，Ｒ５と、この分割電圧をベースに受けて参照電圧を生成している分割抵抗Ｒ７に電流を流すトランジスタＴｒ３とから構成される。トランジスタＴｒ３は、コレクタ端子が抵抗Ｒ９を介して参照電圧を生成している分割抵抗Ｒ７，Ｒ８の分割ノードＣに接続され、また、エミッタ端子が平滑コンデンサＣ３のカソードの電位点に接続されている。
【００４５】
このような構成により、平滑コンデンサＣ４の電圧が上昇すると、その電圧値に応じてトランジスタＴｒ３に電流が流れて、分割抵抗Ｒ７，Ｒ８の分割ノードＣの電圧を降下させ、シャントレギュレータＺ６に電流が流れる設定電圧を引き下げるようになっている。
【００４６】
このような構成においても、図１のスイッチング電源装置１と同様の作用により、出力電流の増大に伴う出力電圧の低減量を緩和することが出来る。
【００４７】
なお、本発明は、上記実施の形態に限られるものではなく、様々な変更が可能である。例えば、上記実施形態では、図１のツェナーダイオードＺ１の基準点Ａの電圧を生成したり、図３のシャントレギュレータＺ６の参照電圧を生成するのに、平滑コンデンサＣ３の両端電圧を抵抗分割して生成しているが、比較的安定した電圧が得られればどこの電圧から基準点Ａの電圧や参照電圧を生成するようにしても良い。また、図１や図３のトランジスタＴｒ２を省略して、ツェナーダイオードＺ１やシャントレギュレータＺ６により、直接スイッチングトランジスタＴｒ１のベース端子から電流を引き抜くようにしても良い。
【００４８】
また、第２制御巻線Ｎ４を用いずに、第１制御巻線Ｎ３の電圧変動により設定電圧補正回路６，６ｂを動作させることで、同様の作用を得るように構成することも出来る。
【００４９】
また、上記実施の形態では、設定電圧以上で電流が流れる定電圧回路を使用し、この定電圧回路に電流を流すことで第１制御巻線の電圧が設定電圧を超えた場合の回路動作を生起させているが、定電圧回路により実際に設定電圧を生成し、電圧比較器によりこの電圧と第１制御巻線の電圧とを比較して、その比較結果に基づき設定電圧を超えた場合の回路動作を生起させるように構成しても良い。その他、上記実施形態で具体的に示した細部等は発明の趣旨を逸脱しない範囲で適宜変更可能である。
【図面の簡単な説明】
【００５０】
【図１】本発明の実施形態のスイッチング電源装置の構成を示す回路図である。
【図２】実施形態のスイッチング電源装置の特性を比較したＶ−Ｉ特性図である。
【図３】本発明の実施形態のスイッチング電源装置の変形例を示す回路図である。
【図４】基準電圧補正回路を有さないスイッチング電源装置の一例を示す回路図である。
【符号の説明】
【００５１】
１，１Ｂ  スイッチング電源装置
２      トランス
Ｎ１    一次巻線
Ｎ２    二次巻線
Ｄ２    整流ダイオード
Ｎ３    第１制御巻線
Ｃ３    平滑コンデンサ（第１平滑コンデンサ）
Ｄ３    整流ダイオード
Ｎ４    第２制御巻線
Ｃ４    平滑コンデンサ（第２平滑コンデンサ）
Ｄ４    整流ダイオード
Ｔｒ１  スイッチングトランジスタ（スイッチング素子）
Ｃｒ    自励発振用のコンデンサ
Ｒｒ    自励発振用の抵抗
５，５ｂ  制御用回路
Ｒ１，Ｒ２  分割抵抗
Ｚ１    ツェナーダイオード
Ｒ７，Ｒ８  分割抵抗
Ｚ６    シャントレギュレータ
６，６ｂ  設定電圧補正回路
Ｔｒ３    トランジスタ
【図１】
0005082693.tif 000002
【図２】
0005082693.tif 000003
【図３】
0005082693.tif 000004
【図４】
0005082693.tif 000005